(57)【要約】  ＬＴＥ（Long  Term  Evolution）認可及び未認可帯域を用いて通信するｅＮＢ（enhanced  NodeB）、ユーザ機器（ＵＥ）、及び方法が、概して本願明細書に記載される。ｅＮＢは、ＵＥへトリガ信号を送信しても良い。トリガ信号は、ＬＴＥ未認可又は認可帯域で送信され、ＵＥに、未認可帯域でのｅＮＢからＵＥへの参照信号の送信を知らせても良い。トリガ信号は、単一の参照信号送信又は複数の周期的若しくは連続的参照信号送信に対応しても良い。トリガ信号又は別個のトリガ信号は、ＵＥに、データ送信を知らせるために使用されても良い。トリガ信号は、参照信号の前の任意の時点で又は参照信号と同じサブフレームで、送信されても良い。参照信号は、データの前、後、又は同じサブフレームで送信されても良い。
2017520980.tif 000002
【特許請求の範囲】
【請求項１】
ｅＮＢ（enhanced  NodeB）であって、
認可帯域のキャリア及び未認可帯域のキャリアで、信号をユーザ機器（ＵＥ）へ送信し及びＵＥから受信するよう構成される通信機と、
処理回路と、
を有し、前記処理回路は、
前記通信機に、前記ＵＥへ、前記未認可及び認可帯域のうちの１つでトリガ信号を送信させ、前記トリガ信号は、前記ＵＥに、前記未認可帯域で前記ｅＮＢから前記ＵＥへの非周期的参照信号の送信を知らせるよう構成され、
前記通信機に、前記未認可及び認可帯域のうちの１つで周期的参照信号を送信することに加えて、前記ＵＥへ、前記未認可帯域で前記非周期的参照信号を送信させ、前記非周期的参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの１つを含み、
前記通信機に、前記ＵＥから、前記非周期的参照信号に基づくチャネル品質及びチャネル推定のうちの少なくとも１つの測定値を受信させる、
よう構成される、ｅＮＢ。
【請求項２】
前記処理回路は、前記通信機に、前記未認可及び認可帯域のうちの１つで、物理ダウンリンク制御チャネル（ＰＤＣＣＨ）、拡張物理ダウンリンク制御チャネル（ＥＰＤＣＣＨ）、媒体アクセス制御制御要素（ＭＡＣ−ＣＥ）、又は無線リソース制御（ＲＲＣ）メッセージのうちの１つを用いて、前記トリガ信号を送信させるよう構成される、請求項１に記載のｅＮＢ。
【請求項３】
前記トリガ信号は、前記ＰＤＣＣＨ又はＥＰＤＣＣＨのうちの１つを用いて送信され、前記処理回路は、
前記トリガ信号に固有の無線ネットワーク一時識別子（ＲＮＴＩ）を用いて、前記ＰＤＣＣＨ又はＥＰＤＣＣＨのうちの１つをスクランブルする、
よう更に構成される、請求項２に記載のｅＮＢ。
【請求項４】
前記処理回路は、前記通信機に、前記非周期的参照信号の送信よりＮサブフレーム前に、前記トリガ信号を送信させるよう構成され、Ｎは非負整数である、請求項１乃至３のいずれか一項に記載のｅＮＢ。
【請求項５】
前記トリガ信号は、複数の非周期的参照信号に対応し、
前記処理回路は、前記通信機に、前記非周期的参照信号を周期的に又は連続サブフレームで送信させるよう更に構成される、
請求項１乃至３のいずれか一項に記載のｅＮＢ。
【請求項６】
前記トリガ信号は、複数の非周期的参照信号に対応し、
前記処理回路は、前記通信機に、前記非周期的参照信号の送信の開始をトリガするために開始メッセージを使用させ、前記非周期的参照信号の送信の終了をトリガするために停止メッセージを使用させるよう更に構成される、
請求項１乃至３のいずれか一項に記載のｅＮＢ。
【請求項７】
前記処理回路は、
前記通信機に、前記ＵＥへ、前記未認可及び認可帯域のうちの１つで第２のトリガ信号を送信させ、前記第２のトリガ信号は、前記ＵＥに、前記未認可帯域での前記ｅＮＢから前記ＵＥへのデータ送信を知らせるよう構成され、
前記通信機に、前記ＵＥへ、前記未認可帯域で前記ｅＮＢから前記ＵＥへの前記データ送信を送信させる、
よう構成される、請求項１乃至３のいずれか一項に記載のｅＮＢ。
【請求項８】
前記処理回路は、前記通信機に、
前記トリガ信号の前に前記第２のトリガ信号、
前記データ送信の前に前記非周期的参照信号、又は
同じサブフレームで前記非周期的参照信号及び前記データ送信、
のうちの少なくとも１つを送信させるよう構成される、請求項７に記載のｅＮＢ。
【請求項９】
前記トリガ信号は、前記ＵＥに、前記未認可帯域での前記ｅＮＢから前記ＵＥへのデータ送信を知らせるよう更に構成される、請求項１乃至３のいずれか一項に記載のｅＮＢ。
【請求項１０】
前記処理回路は、
前記通信機に、前記ＵＥを含む複数のＵＥへ、前記未認可及び認可帯域のうちの１つでスケジューリング情報を送信させ、前記スケジューリング情報は、前記複数のＵＥに、前記未認可帯域での前記ｅＮＢから前記複数のＵＥへの少なくとも１つのデータ送信を知らせるよう更に構成され、
前記スケジューリング情報は、単一の物理ダウンリンク制御チャネル（ＰＤＣＣＨ）又は拡張物理ダウンリンク制御チャネル（ＥＰＤＣＣＨ）リソースを用いる複数の物理リソースブロックのためのスケジューリングを含む、
請求項１乃至３のいずれか一項に記載のｅＮＢ。
【請求項１１】
前記処理回路は、
前記通信機に、前記ＵＥを含む複数のＵＥへ、前記未認可及び認可帯域のうちの１つでスケジューリング情報を送信させ、前記スケジューリング情報は、前記複数のＵＥに、前記未認可帯域での前記ｅＮＢから前記複数のＵＥへの少なくとも１つのデータ送信を知らせるよう更に構成され、
前記スケジューリング情報は、Ｍビットフィールドを有するダウンリンク制御情報（ＤＣＩ）を含み、前記Ｍビットフィールドの各々のビットは、前記未認可帯域のキャリアの中の物理リソースブロックを表す、
請求項１乃至３のいずれか一項に記載のｅＮＢ。
【請求項１２】
前記処理回路は、
前記通信機に、前記ＵＥを含む複数のＵＥへ、前記未認可及び認可帯域のうちの１つでスケジューリング情報を送信させ、前記スケジューリング情報は、前記複数のＵＥに、前記未認可帯域での前記ｅＮＢから前記複数のＵＥへの少なくとも１つのデータ送信を知らせるよう更に構成され、
前記スケジューリング情報は、Ｍビットフィールドを有するダウンリンク制御情報（ＤＣＩ）を含み、前記Ｍビットフィールドの各々のビットは、個々のＵＥを表す、
請求項１乃至３のいずれか一項に記載のｅＮＢ。
【請求項１３】
前記処理回路は、
前記通信機に、前記ＵＥを含む複数のＵＥへ、前記未認可及び認可帯域のうちの１つでスケジューリング情報を送信させ、前記スケジューリング情報は、前記複数のＵＥに、前記未認可帯域での前記ｅＮＢから前記複数のＵＥへの少なくとも１つのデータ送信を知らせるよう更に構成され、
前記スケジューリング情報は、グループ無線ネットワーク一時識別子（Ｇ−ＲＮＴＩ）を用いてスクランブルされるダウンリンク制御情報（ＤＣＩ）を有する物理ダウンリンク制御チャネル（ＰＤＣＣＨ）又は拡張物理ダウンリンク制御チャネル（ＥＰＤＣＣＨ）を用い、前記Ｇ−ＲＮＴＩは、前記複数のＵＥを識別するよう構成される、
請求項１乃至３のいずれか一項に記載のｅＮＢ。
【請求項１４】
前記トリガ信号は、周期的参照信号（non-aperiodic）が前記ｅＮＢにより提供されるとき、前記ＵＥ又は前記ＵＥの近くのＷｉＦｉ装置による前記未認可帯域のキャリアの使用により、前記ＵＥが前記未認可帯域のキャリアで前記ｅＮＢから提供される周期的参照信号の測定を行うことができない場合でも、前記ＵＥと前記ＷｉＦｉ装置との間の共存を可能にするために、前記ＵＥが前記非周期的参照信号の測定を行えるように、前記ＵＥに、前記未認可帯域のキャリアでの前記非周期的参照信号の送信を示すよう構成される、請求項１乃至３のいずれか一項に記載のｅＮＢ。
【請求項１５】
ユーザ機器（ＵＥ）であって、
認可帯域のキャリア及び未認可帯域のキャリアで、信号をｅＮＢ（enhanced  NodeB）へ送信し及びｅＮＢから受信するよう構成される通信機と、
処理回路と、
を有し、前記処理回路は、
前記通信機に、前記ｅＮＢから、前記未認可及び認可帯域のうちの１つでトリガ信号を受信させ、前記トリガ信号は、前記ＵＥに、前記未認可帯域での前記ｅＮＢから前記ＵＥへの非周期的参照信号の送信を知らせるよう構成され、前記非周期的参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの１つを含み、
前記通信機に、前記未認可及び認可帯域のうちの１つで周期的参照信号を受信することに加えて、前記ｅＮＢから、前記未認可帯域で前記非周期的参照信号を受信させ、
前記非周期的参照信号に基づくチャネル品質及びチャネル推定のうちの少なくとも１つの測定を実行し、
前記通信機に、前記ｅＮＢへ、前記非周期的参照信号に基づく測定値を送信させる、
よう構成される、ＵＥ。
【請求項１６】
前記処理回路は、前記通信機に、前記非周期的参照信号の受信よりＮサブフレーム前に、前記トリガ信号を受信させるよう構成され、Ｎは非負整数である、請求項１５に記載のＵＥ。
【請求項１７】
前記トリガ信号は、複数の非周期的参照信号に対応し、
前記処理回路は、前記通信機に、前記非周期的参照信号を周期的に又は連続サブフレームで受信させるよう更に構成される、
請求項１５又は１６に記載のＵＥ。
【請求項１８】
前記トリガ信号は、複数の非周期的参照信号に対応し、
前記処理回路は、前記通信機に、前記非周期的参照信号の送信の開始を示すよう構成される開始メッセージと、前記非周期的参照信号の送信の終了を示すよう構成される停止メッセージと、を受信させるよう更に構成される、
請求項１５又は１６に記載のＵＥ。
【請求項１９】
前記処理回路は、
前記通信機に、前記ｅＮＢから、前記未認可及び認可帯域のうちの１つで第２のトリガ信号を受信させ、前記第２のトリガ信号は、前記ＵＥに、前記未認可帯域での前記ｅＮＢから前記ＵＥへのデータ送信を知らせるよう構成され、
前記通信機に、前記ｅＮＢから、前記未認可帯域で前記ｅＮＢから前記ＵＥへの前記データ送信を受信させる、
よう構成される、請求項１５又は１６に記載のＵＥ。
【請求項２０】
前記処理回路は、前記通信機に、
前記トリガ信号の前に前記第２のトリガ信号、
前記データ送信の前に前記非周期的参照信号、又は
同じサブフレームで前記非周期的参照信号及び前記データ送信、
のうちの少なくとも１つを受信させるよう構成される、請求項１９に記載のＵＥ。
【請求項２１】
前記トリガ信号は、前記ＵＥに、前記未認可帯域での前記ｅＮＢから前記ＵＥへのデータ送信を知らせるよう更に構成される、請求項１５又は１６に記載のＵＥ。
【請求項２２】
認可及び未認可帯域を用いて通信する方法であって、前記方法は、
前記認可及び未認可帯域のうちの１つのキャリアで、ｅＮＢ（enhanced  NodeB）から少なくとも１つのユーザ機器（ＵＥ）へトリガ信号を送信するステップであって、前記トリガ信号は、前記少なくとも１つのＵＥに、前記未認可帯域での前記ｅＮＢから前記少なくとも１つのＵＥへの非周期的参照信号又はデータ送信のうちの少なくとも１つの送信を知らせるよう構成され、前記非周期的参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの１つを含む、ステップと、
前記少なくとも１つのＵＥへ、前記トリガ信号の中で示される時間に、前記未認可帯域で、前記ｅＮＢから前記少なくとも１つのＵＥへ、前記非周期的参照信号又はデータ送信のうちの少なくとも１つを送信するステップと、
前記少なくとも１つのＵＥへ、前記非周期的参照信号を送信することに応答して、前記非周期的参照信号に基づくチャネル品質及びチャネル推定のうちの少なくとも１つの測定値を受信するステップと、
を有する方法。
【請求項２３】
（ａ）前記トリガ信号は、複数の非周期的参照信号に対応し、
前記方法は、前記非周期的参照信号を周期的に又は連続サブフレームで送信するステップ、を更に有する、
（ｂ）前記トリガ信号は、前記少なくとも１つのＵＥに、前記非周期的参照信号及びデータ送信の両方の送信を知らせるよう構成される、
（ｃ）前記トリガ信号は、前記少なくとも１つのＵＥに、前記未認可帯域での前記ｅＮＢから前記少なくとも１つのＵＥへの前記非周期的参照信号の送信を知らせるよう構成され、
前記方法は、
前記認可帯域のキャリアで前記ｅＮＢから前記少なくとも１つのＵＥへ第２のトリガ信号を送信するステップであって、前記第２のトリガ信号は、前記未認可帯域での前記ｅＮＢから前記少なくとも１つのＵＥへの前記データ送信の送信を知らせるよう構成される、ステップと、
前記少なくとも１つのＵＥへ、前記第２のトリガ信号の中に示される時間に、前記未認可帯域で前記ｅＮＢから前記少なくとも１つのＵＥへの前記データ送信を送信するステップと、
を更に有する、
のうちの少なくとも１つである、請求項２２に記載の方法。
【請求項２４】
コンピュータプログラムであって、ｅＮＢ（enhanced  NodeB）のプロセッサに、未認可帯域で動作するＬＡＡ（License  Assisted  Access）ユーザ機器（ＵＥ）と通信するよう前記ｅＮＢの通信機を構成させ、前記ｅＮＢは、
前記ＵＥへ、前記未認可帯域のキャリアでトリガ信号を送信し、前記トリガ信号は、前記ＵＥに、前記未認可帯域での前記ｅＮＢから少なくとも１つのＵＥへの非周期的参照信号又はデータ送信のうちの少なくとも１つの送信を知らせるよう構成され、
前記ＵＥへ、前記トリガ信号の中で示される時間に、前記未認可帯域で前記ｅＮＢから前記ＵＥへの前記非周期的参照信号又はデータ送信のうちの少なくとも１つを送信し、前記非周期的参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの１つを含み、
前記ＵＥへ前記非周期的参照信号を送信することに応答して、前記非周期的参照信号に基づくチャネル品質及びチャネル推定のうちの少なくとも１つの測定値を受信する、
コンピュータプログラム。
【請求項２５】
（ａ）前記トリガ信号は、複数の非周期的参照信号に対応し、
前記非周期的参照信号は、周期的に又は連続サブフレームで送信される、
（ｂ）前記トリガ信号は、前記ＵＥに、前記非周期的参照信号及びデータ送信の両方の送信を知らせるよう構成される、
のうちの少なくとも１つである、請求項２４に記載のコンピュータプログラム。
【請求項２６】
請求項２４又は２５に記載のコンピュータプログラムを記憶したコンピュータ可読記憶媒体。
【発明の詳細な説明】
【技術分野】
【０００１】
［優先権の主張］
本願は、米国仮特許出願番号第６２／０１６，００１号、２０１４年６月２３日出願、名称「[RANI]  APERIODIC  BEACON  SIGNAL  TRANSMISSION  FOR  LTE−U」の優先権の利益を主張する米国特許出願番号第１４／６６９，３６６号、２０１５年３月２６日出願の優先権の利益を主張する。これら米国出願の各々は、ここで参照されることによりその全体が本願明細書に組み込まれる。
【０００２】
実施形態は、無線アクセスネットワークに関連する。幾つかの実施形態は、認可及び未認可スペクトルの両方のスケジューリング情報の通信に関する。
【背景技術】
【０００３】
ＬＴＥ（Long  Term  Evolution）ネットワークは、多数の固有周波数帯域で動作し、多様な情報を増加の一途をたどる数及び種類のユーザ機器（ＵＥ）へ配信する。標準的に、異なる通信技術の使用は、連邦政府により規制される認可帯域に限定される。ネットワーク使用の成長は、これらの認可帯域を超えて拡大するＬＴＥ使用への関心の口火を切った。ＬＴＥ−Ｕ（LTE−Unlicensed）は、ＵＥが通信において未認可スペクトルを使用することを可能にする。ＷｉＦｉ及びＢｌｕｅｔｏｏｔｈ（登録商標）のような他のネットワークは、未認可スペクトルの中で、ＬＴＥ−Ｕと共存する。これは、周期的参照信号メッセージがＬＴＥネットワークとＵＥとの間で生じるとき、問題を示す。参照信号メッセージは、セル固有参照信号（cell−specific  reference  signal：ＣＲＳ）を含み得る。ＣＲＳは、複数のＵＥへの送信をスケジューリングするために、及びＵＥにおいてコヒーレント復調で使用されるチャネル推定のために、使用される。参照信号メッセージは、チャネル品質の測定値を示すチャネル品質指示（Channel  Quality  Indication：ＣＱＩ）、測定目的で使用されるチャネル状態情報参照信号（channel  state  information  reference  signal：ＣＳＩ−ＲＳ）、及び個々のＵＥに固有の発見参照信号（Discovery  Reference  Signal：ＤＲＳ）を含み得る。したがって、上述及び他の周期的メッセージは、通信チャネルに関する情報を提供するだけでなく、ＵＥとの通信の時間及び／又は周波数における追跡も可能にする。これらの周期的メッセージは、ＷｉＦｉ装置とＢｌｕｅｔｏｏｔｈ装置との間の通信に問題を生じ、及び／又はＷｉＦｉ装置とＢｌｕｅｔｏｏｔｈ装置との間の通信に更なる干渉を引き起こすことがある。さらに、認可帯域における順序付けられた送信と対称的に、未認可帯域における通信の特性により、周期的メッセージのうちの幾つかは、意図されるＵＥに到達しない場合がある。
【０００４】
したがって、同じ未認可スペクトルで動作する他の装置への外乱を最小限にしつつ、ＬＴＥ−Ｕ装置のために効率的なシグナリングメカニズムを提供することが望ましい。
【図面の簡単な説明】
【０００５】
必ずしも縮尺通りに描かれない図の中で、同様の参照符号は同様のコンポーネントを異なる観点で記載し得る。異なる添え字を有する同様の参照符号は、同様のコンポーネントの異なる例を表し得る。
【０００６】
図は、概して、例として、限定ではなく、本願明細書で議論される種々の実施形態を図示する。
【図１】幾つかの実施形態に従う、ネットワークの様々なコンポーネントを有するＬＴＥネットワークのエンドツーエンドネットワークアーキテクチャの一部の一例を示す。
【図２】幾つかの実施形態に従うｅＮＢの機能ブロック図を示す。
【図３】幾つかの実施形態に従う、周期的ビーコン信号を送信するｅＮＢの方法のフローチャートを示す。
【図４Ａ】幾つかの実施形態に従うリソースブロックを示す。
【図４Ｂ】幾つかの実施形態に従うリソースブロックを示す。
【発明を実施するための形態】
【０００７】
以下の説明及び図面は、当業者が実施するのに十分に特定の実施形態を説明する。他の実施形態は、構造的、論理的、電子的、処理及び他の変化を組み込んでも良い。幾つかの実施形態の部分及び特徴は、他の実施形態の部分及び特徴に含まれ又はそれらを置き換えても良い。請求の範囲に記載された実施形態は、該請求の範囲の全ての可能な等価物を含む。
【０００８】
図１は、幾つかの実施形態に従う、ネットワークの様々なコンポーネントを有するＬＴＥ（long  term  evolution）ネットワークのエンドツーエンドネットワークアーキテクチャの一部の一例を示す。ネットワーク１００は、ＳＩインタフェース１１５を通じて一緒に結合される、無線アクセスネットワーク（radio  access  network：ＲＡＮ）（例えば、図示のように、Ｅ−ＵＴＲＡＮ又はevolved  universal  terrestrial  radio  access  network）１０１と、コアネットワーク１２０（例えば、ＥＰＣ（evolved  packet  core）として示される）と、を有しても良い。便宜上及び簡単のために、コアネットワーク１２０及びＲＡＮ１０１の一部のみが例に示される。
【０００９】
コアネットワーク１２０は、移動性管理エンティティ（mobility  management  entity：ＭＭＥ）１２２と、サービングゲートウェイ（サービングＧＷ）１２４と、パケットデータネットワークゲートウェイ（packet  data  network  gateway：ＰＤＮ）１２６と、を有しても良い。ＲＡＮ１０１は、ユーザ機器（ＵＥ）１０２と通信する（基地局として動作し得る）ｅＮＢ（evolved  node  B）１０４を有する。ｅＮＢ１０４は、マクロｅＮＢと、低電力（ＬＰ）ｅＮＢと、を含み得る。
【００１０】
ＭＭＥ１２２は、レガシーサービングＧＰＲＳサポートノード（Serving  GPRS  Support  Node：ＳＧＳＮ）の制御プレーンと機能が同様であっても良い。ＭＭＥ１２２は、ゲートウェイ選択及び追跡領域リスト管理のような、アクセスにおける移動性特長を管理しても良い。サービングＧＷ１２４は、ＲＡＮ１０１へ向かうインタフェースを終端し、ＲＡＮ１０１とコアネットワーク１２０との間でデータパケットを転送しても良い。さらに、サービングＧＷ１２４は、ｅＮＢ間のハンドオーバのための局所移動性アンカーポイントであっても良く、３ＧＰＰ間の移動性のためのアンカーも提供しても良い。他の責務は、合法な傍受、課金、及び何らかのポリシ施行を含み得る。サービングＧＷ１２４及びＭＭＥ１２２は、１つの物理ノード又は別個の物理ノードの中に実装されても良い。ＰＤＮ  ＧＷ１２６は、パケットデータネットワーク（packet  data  network：ＰＤＮ）へ向かうＳＧｉインタフェースを終端しても良い。ＰＤＮ  ＧＷ１２６は、ＥＰＣ１２０と外部ＰＤＮとの間でデータパケットをルーティングしても良く、ポリシ施行及び課金データ収集を実行しても良い。ＰＤＮ  ＧＷ１２６は、非ＬＴＥアクセスを有する移動性装置のためにアンカーポイントを提供しても良い。外部ＰＤＮは、任意の種類のＩＰネットワーク、及びＩＰマルチメディアサブシステム（IP  Multimedia  Subsystem：ＩＭＳ）ドメインであっても良い。ＰＤＮ  ＧＷ１２６及びサービングＧＷ１２４は、単一の物理ノード又は別個の物理ノードの中に実装されても良い。
【００１１】
ＰＤＮ  ＧＷ１２６及びＭＭＥ１２２は、位置サーバ１３０にも接続されても良い。ＵＥ及びｅＮＢは、ユーザプレーン（Ｕ−Ｐｌａｎｅ）及び／又は制御プレーン（Ｃ−Ｐｌａｎｅ）を介して位置サーバ１３０と通信しても良い。位置サーバ１３０は、測定データ及び他の位置情報をＵＥ１０２及びｅＮＢ１０４から収集し並びにＵＥ１０２の位置の推定によりＵＥ１０２を支援し得る物理又は論理エンティティであっても良く、更に詳細に後述するように、ネットワークに基づく位置の計算を提供する。
【００１２】
ｅＮＢ１０４（マクロ及びマイクロ）は、無線インタフェースプロトコルを終端しても良く、ＵＥ１０２にとって、連絡を取る最初のポイントであっても良い。幾つかの実施形態では、ｅＮＢ１０４は、無線ベアラ管理、アップリンク及びダウンリンク動的無線リソース管理及びデータパケットスケジューリング、並びに移動性管理のような無線ネットワーク制御機能（ＲＮＣ）を含むがこれに限定されないＲＡＮ１０１の種々の論理機能を満たすことができる。実施形態によると、ＵＥ１０２は、ＯＦＤＭＡ通信技術に従い、複数搬送波通信チャネルを介して、ｅＮＢ１０４とＯＦＤＭ通信信号を通信するよう構成されても良い。ＯＦＤＭ信号は、複数の直交サブキャリアを有し得る。
【００１３】
ＳＩインタフェース１１５は、ＲＡＮ１０１とＥＰＣ１２０とを分離するインタフェースであっても良い。ＳＩインタフェース１１５は、２つの部分に分けられる。つまり、ｅＮＢ１０４とサービングＧＷ１２４との間でトラフィックデータを運ぶことができるＳＩ−Ｕ、及びｅＮＢ１０４とＭＭＥ１２２との間のシグナリングインタフェースであり得るＳＩ−ＭＭＥである。Ｘ２インタフェースは、ｅＮＢ１０４間のインタフェースであっても良い。Ｘ２インタフェースは、２つの部分を有しても良い。つまり、Ｘ２−Ｃ及びＸ２−Ｕである。Ｘ２−Ｃは、ｅＮＢ１０４の間の制御プレーンインタフェースであっても良い。一方、Ｘ２−Ｕは、ｅＮＢ１０４の間のユーザプレーンインタフェースであっても良い。
【００１４】
セルラネットワークで、ＬＰセルは、標準的に、屋外信号が良好に到達しない屋内領域へカバレッジを拡張するために、又は濃密な使用を有する領域にネットワーク容量を追加するために、使用できる。特に、システム性能を向上するために、異なるサイズのセル、マクロセル、マイクロセル、ピコセル、及びフェムトセルを用いて、無線通信システムのカバレッジを拡張することが望ましい場合がある。異なるサイズのセルは、ＬＴＥ未認可帯域のような同じ周波数帯域で動作しても良く、異なる周波数帯域で動作する各々のセルと又は異なる周波数帯域で動作する異なるサイズのセルのみと異なる周波数帯域で動作しても良い。本願明細書で使用されるとき、用語「低電力（ＬＰ）ｅＮＢ」は、フェムトセル、ピコセル、又はマイクロセルのような狭いセル（マクロセルよりも狭い）を実装する任意の適切な比較的低電力のｅＮＢを表す。フェムトセルｅＮＢは、標準的に、モバイルネットワークオペレータにより、その敷地又は企業顧客に、設けられても良い。フェムトセルは、標準的に、家庭用ゲートウェイ又は小さな大きさであっても良く、通常、ユーザのブロードバンド回線に接続しても良い。フェムトセルは、モバイルオペレータのモバイルネットワークに接続し、標準的に３０〜５０メートルの範囲の追加カバレッジを提供しても良い。したがって、ＬＰ  ｅＮＢは、ＰＤＮ  ＧＷ１２６を通じて結合されるので、フェムトセルｅＮＢであっても良い。同様に、ピコセルは、建物内（例えば、オフィス、ショッピングモール、鉄道の駅、等）又はより最近では航空機内のような標準的に小さな領域をカバーする無線通信システムであっても良い。ピコセルｅＮＢは、通常、自身の基地局制御（ＢＳＣ）機能を通じてマクロｅＮＢのように、Ｘ２リンクを通じて別のｅＮＢに接続できる。したがって、ＬＰ  ｅＮＢは、Ｘ２インタフェースを介してマクロｅＮＢに結合されるので、ピコセルｅＮＢを実装され得る。ピコセルｅＮＢ又は他のＬＰ  ｅＮＢは、マクロｅＮＢの一部又は全部の機能を組み込むことができる。幾つかの例では、これは、アクセスポイント基地局又はエンタープライズフェムトセルとして参照され得る。
【００１５】
ＬＴＥネットワークを介する通信は、１０ｍｓフレームに分けられる。１０ｍｓフレームの各々は、１０個の１ｍｓサブフレームを含む。一方、各々のサブフレームは、２個の０．５ｍｓスロットを含み得る。各々のスロットは、使用されるシステムに依存して、６〜７個のシンボルを含み得る。リソースブロック（Ｂ）は、ＵＥに割り当てることのできるリソースの最小単位であっても良い。リソースブロックは、周波数で１８０ｋＨｚ幅であり、時間で１スロット長であっても良い。周波数では、リソースブロックは、１２ｘ１５ｋＨｚサブキャリア、又は２４ｘ７．５ｋＨｚサブキャリア幅であっても良い。多くのチャネル及び信号では、１２個のサブキャリアが、リソースブロック当たりに使用されても良い。周波数分割多重（Frequency  Division  Duplexed：ＦＤＤ）モードでは、アップリンク及びダウンリンクフレームの両方は、１０ｍｓであり、周波数（完全二重）又は時間（半二重）で分けられても良い。時分割多重（Time  Division  Duplexed：ＴＤＤ）では、アップリンク及びダウンリンクサブフレームは、同じ周波数で送信され、時間ドメインで多重化されても良い。ダウンリンクリソースグリッドは、ｅＮＢからＵＥへのダウンリンク送信のために使用されても良い。グリッドは、各々のスロットの中でダウンリンクの物理リソースである時間−周波数グリッドであっても良い。リソースグリッドの各列及び各行は、１つのＯＦＤＭシンボル及び１つのＯＦＤＭサブキャリアにそれぞれ対応しても良い。時間ドメインのリソースグリッドの期間は、１つのスロットに対応しても良い。リソースグリッドの中の最小時間周波数ユニットは、リソースエレメントとして示される。各々のリソースグリッドは、多数の上述のリソースブロックを有しても良く、特定の物理チャネルのリソースエレメントへのマッピングを表す。各々のリソースブロックは、１２（サブキャリア数）＊１４（シンボル数）＝１６８個のリソースエレメントを有しても良い。
【００１６】
このようなリソースブロックを用いて伝達され得る幾つかの異なる物理ダウンリンクチャネルが存在する。これらの物理ダウンリンクチャネルのうちの２つは、物理ダウンリンク制御チャネル（physical  down  link  control  channel：ＰＤＣＣＨ）、及び物理ダウンリンク共有チャネル（physical  downlink  shared  channel：ＰＤＳＣＨ）であっても良い。各々のサブフレームは、ＰＤＣＣＨ及びＰＤＳＣＨに区分されても良い。ＰＤＣＣＨは、通常、各々のサブフレームの最初の２個のシンボルを占有し、特にＰＤＳＣＨに関連するトランスポートフォーマット及びリソース割り当てに関する情報、及びアップリンク共有チャネルに関するＨ−ＡＲＱ情報を運び得る。ＰＤＳＣＨは、ユーザデータ、及びＵＥへのより上位レイヤのシグナリングを運び、サブフレームの残りの部分を専有しても良い。標準的に、ダウンリンクスケジューリング（セルの中のＵＥに制御及び共有チャネルリソースブロックを割り当てる）は、ＵＥからｅＮＢに提供されるチャネル品質情報に基づき、ｅＮＢにおいて実行されても良い。次に、ダウンリンクリソース割り当て情報が、ＵＥのために使用される（割り当てられる）ＰＤＣＣＨで、各々のＵＥへ送信されても良い。ＰＤＣＣＨは、リソースグリッドから、同じサブフレームの中のＰＤＳＣＨで送信されるデータを見付け復号化する方法をＵＥに教える多数のフォーマットのうちの１つにダウンリンク制御情報（downlink  control  information：ＤＣＩ）を含んでも良い。ＤＣＩフォーマットは、リソースブロックの数、リソース割り当て種類、変調方式、トランスポートブロック、冗長バージョン、符号化レート、等のような詳細事項を提供しても良い。各々のＤＣＩフォーマットは、巡回冗長コード（cyclic  redundancy  code：ＣＲＣ）を有しても良く、ＰＤＳＣＨが対象とする目標ＵＥを識別する無線ネットワーク一時識別子（Radio  Network  Temporary  Identifier：ＲＮＴＩ）によりスクランブルされても良い。ＵＥ固有ＲＮＴＩの使用は、ＤＣＩフォーマット（及びしたがって対応するＰＤＳＣＨ）の復号化を、対象ＵＥのみに制限し得る。
【００１７】
図２は、幾つかの実施形態による通信装置の機能ブロック図を示す。通信装置２００は、ＵＥ又はｅＮＢであっても良く、物理レイヤ（ＰＨＹ）回路に電気的に接続される１又は複数のアンテナ２０１を用いて無線周波数電気信号を通信装置、他のｅＮＢ、他のＵＥ、又は他の装置へ送信し及びそられから受信するＰＨＹ回路２０２を有しても良い。ＰＨＹ回路２０２は、変調／復調、アップコンバージョン／ダウンコンバージョン、フィルタリング、増幅、等の回路を有しても良い。通信装置２００は、無線媒体へのアクセスを制御し無線媒体を介する通信のためにフレーム又はパケットを構成する媒体アクセス制御レイヤ（ＭＡＣ）回路２０４も有しても良い。通信装置２００は、本願明細書に記載の動作を実行するようセルラ装置の種々の要素を構成するよう配置される処理回路２０６及びメモリ２０８も有しても良い。メモリ２０８は、動作を実行するよう処理回路２０６を構成する情報を格納するために使用されても良い。
【００１８】
幾つかの実施形態では、通信装置２００は、パーソナルデジタルアシスタント（ＰＤＡ）、無線通信能力を備えるラップトップ若しくはポータブルコンピュータ、ウェブタブレット、無線電話機、スマートフォン、無線ヘッドセット、ページャ、インスタントメッセージング装置、デジタルカメラ、アクセスポイント、テレビジョン、医療機器（例えば、心拍モニタ、血圧モニタ、等）、ウエアラブル装置、センサ、又は無線で情報を受信し及び／又は送信できる他の装置のようなポータブル無線通信装置の部分であり得る。幾つかの実施形態では、通信装置２００は、キーボード、ディスプレイ、不揮発性メモリポート、複数のアンテナ、グラフィックプロセッサ、アプリケーションプロセッサ、スピーカ、及び他のモバイル装置要素のうちの１又は複数を有し得る。ディスプレイは、タッチスクリーンを含むＬＣＤであり得る。
【００１９】
通信装置２００により使用される１又は複数のアンテナ２０１は、例えばダイポールアンテナ、モノポールアンテナ、パッチアンテナ、ループアンテナ、マイクロストリップアンテナ、又はＲＦ信号の送信に適する他の種類のアンテナを含む１又は複数の指向性又は全方向性アンテナを有し得る。幾つかの実施形態では、２以上のアンテナの代わりに、複数の開口を備える単一のアンテナが使用されても良い。これらの実施形態では、各々の開口は、別個のアンテナとして考えられる。幾つかの多入力多出力（multiple−input  multiple−output：ＭＩＭＯ）実施形態では、アンテナは、受信局のアンテナの各々と送信局のアンテナの各々との間に生じ得る空間ダイバーシティ及び異なるチャネル特性を利用するために、効果的に分けられても良い。幾つかのＭＩＭＯ実施形態では、アンテナは、最大で波長の１／１０又はそれ以上まで分けられても良い。
【００２０】
通信装置２００は幾つかの別個の機能要素を有するとして示されるが、機能要素のうちの１又は複数は、結合され、デジタル信号プロセッサ（digital  signal  processor：ＤＳＰ）を含む処理要素のようなソフトウェアにより設定される要素及び／又はハードウェア要素の組合せにより実装され得る。例えば、幾つかの要素は、１又は複数のマイクロプロセッサ、ＤＳＰ、ＡＳＩＣ（application  specific  integrated  circuit）、ＲＦＩＣ（radio−frequency  integrated  circuit）、及び少なくとも本願明細書に記載の機能を実行する種々のハードウェア及び論理回路の組合せを有し得る。幾つかの実施形態では、機能要素は、１又は複数の処理要素で動作する１又は複数のプロセスを表し得る。
【００２１】
記載の実施形態は、ハードウェア、ファームウェア、及びソフトウェアの１又は複数の組合せで実装されても良い。実施形態は、本願明細書に記載の動作を実行するために少なくとも１つのプロセッサにより読み出され実行され得る、コンピュータ可読記憶媒体に格納された命令として実施されても良い。コンピュータ可読記憶媒体は、機械（例えばコンピュータ）により読み出し可能な形式で情報を格納する任意の非一時的メカニズムを含み得る。例えば、コンピュータ読み取り可能な記憶媒体は、読み出し専用メモリ（ＲＯＭ）、ランダムアクセスメモリ（ＲＡＭ）、磁気ディスク記憶媒体、光学記憶媒体、フラッシュメモリ装置及びその他の記憶装置及び媒体を包含しうる。これらの実施形態では、１又は複数のプロセッサは、本願明細書に記載の動作を実行するために、命令により構成されても良い。
【００２２】
幾つかの実施形態によると、処理回路２０６は、ＯＦＤＭＡ通信技術に従い、複数搬送波通信チャネルを介して、ＯＦＤＭ通信信号を通信するよう構成されても良い。ＯＦＤＭ信号は、複数の直交サブキャリアを有し得る。幾つかのブロードバンド複数搬送波の実施形態では、セルラ装置２００は、ＷｉＭＡＸ（Worldwide  Interoperability  for  Microwave  Access）通信ネットワーク又は３ＧＰＰ（３rd  Generation  Partnership  Project）ＵＴＲＡＮ（Universal  Terrestrial  Radio  Access  Network）又はＬＴＥ（Long−Term−Evolution）通信ネットワーク又はＬＴＥ−Ａ（LTE−Advanced））通信ネットワーク又は第５世代（５Ｇ）ＬＴＥ通信ネットワーク又はＨＳＤＰＡ／ＨＳＵＰＡ（high  speed  downlink/uplink  access）通信ネットワークのようなブロードバンド無線アクセス（broadband  wireless  access：ＢＷＡ）ネットワーク通信ネットワークの一部として動作しても良い。しかしながら、本発明の範囲は、これに関して限定されない。
【００２３】
図３は、幾つかの実施形態に従う、周期的ビーコン信号を送信するｅＮＢの方法のフローチャートを示す。非周期的ビーコン信号（本願明細書ではトリガ信号としても参照される）は、認可又は未認可帯域で送信されても良い。一方で、非周期的ビーコン信号により示される非周期的参照信号は、未認可帯域で送信されても良い。非周期的ビーコン信号により示される非周期的参照信号は、標準的な周期的に送信される参照信号（これは、最大で数百ｍｓ離れて周期的に送信されても良い）に加えて送信されても良い。他の実施形態では、非周期的ビーコン信号により示される非周期的参照信号は、周期的に送信される参照信号の代わりに送信されても良い。種々の実施形態では、種々のステップのタイミングは調整されても良く、示されるステップのうちの幾つかは存在しなくても良い。非周期的参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの少なくとも１つを有しても良い。ＣＲＳは、セル探索、ｅＮＢとの通信の初期取得、ダウンリンクチャネル品質測定、及びコヒーレント復調若しくは検出のためのダウンリンクチャネル推定のために、ＵＥにより使用されても良い。ＣＱＩは、ｅＮＢに、キャリアレベル受信信号強度指示（received  signal  strength  indication：ＲＳＳＩ）及びビット誤り率（bit  error  rate：ＢＥＲ）を含むチャネル品質情報を提供しても良い。ＣＳＩ−ＲＳは、チャネルを推定し、チャネル品質情報を報告するために、使用されても良い。ＤＲＳは、上述の信号のうちの１又は複数を含んでも良く、個々のＵＥに固有であっても良い。
【００２４】
ステップ３０２で、ｅＮＢは、１又は複数の特定のＵＥへの信号の送信が望ましいか否かを決定しても良い。例えば、ｅＮＢは、任意のＷｉＦｉ装置が未認可帯域で現在送信しているか否かに拘わらず、ＵＥ又は他の通信装置からの情報を検出し又は要求しても良い。一実施形態では、ｅＮＢが、キャリアは空いていると決定した場合のみ、ｅＮＢはトリガ信号を送信することを決定しても良い。留意すべきことに、認可帯域のキャリアは、ＵＥが初期ＲＲＣ接続確立手順を実行し得る（又は再確立手順を開始する）プライマリセルであっても良く、或いは、認可帯域のキャリアは、追加リソースを提供でき及びプライマリセルを用いてＲＲＣ接続手順が実行された後に構成され得るセカンダリセルであっても良い。プライマリセルは、例えば、認可帯域の中であっても良く、一方で、セカンダリセルは未認可帯域の中であっても良い。
【００２５】
ｅＮＢが、トリガ信号の送信が望ましいことを決定した場合、ステップ３０４で、ｅＮＢは、送信がトリガ信号（非周期的ビーコン信号としても参照される）であるべきか否かを決定しても良い。トリガ信号は、ＵＥに、参照信号が未認可帯域で送信されるべきであることを示しても良い。トリガ信号は、物理ダウンリンク制御チャネル（Physical  Downlink  Control  Channel：ＰＤＣＣＨ）、拡張物理ダウンリンク制御チャネル（Enhanced  Physical  Downlink  Control  Channel：ＥＰＤＣＣＨ）、媒体アクセス制御制御要素（Media  Access  Control  Control  Element：ＭＡＣ−ＣＥ）、又は無線リソース制御（Radio  Resource  Control：ＲＲＣ）メッセージの中で、プライマリセルで送信されても良い。ＥＰＤＣＣＨは、ＰＤＣＣＨと同様に、ＵＥ固有であり、制御情報の送信のためにＰＤＳＣＨリソースを使用しても良い。ＥＰＤＣＣＨは、ＲＲＣシグナリングにより構成されても良い。各々のＵＥは、ＥＰＤＣＣＨの２つのセットにより構成され得る。これらの構成は、セット同士で異なり得る。例えば、ＰＤＣＣＨ又はＥＰＤＣＣＨの１又は複数のビットは、トリガ信号として使用されても良い。
【００２６】
ステップ３０４で、ｅＮＢが、送信はトリガ信号であることを決定した場合、ステップ３０６で、ｅＮＢは、トリガ信号がＵＥへ送信される方法を決定しても良い。一実施形態では、ｅＮＢは、（未認可帯域を介して送信される参照信号の送信とは独立に）ＵＥへのトリガ信号のＬＴＥ認可帯域を介する送信と未認可帯域を介する送信との間で決定しても良い。
【００２７】
さらに、ステップ３０８で、ｅＮＢは、ＵＥのために特定のＲＮＴＩを選択しても良い。上述のように、ＰＤＣＣＨの中のビットを使用するのではなく、新しいＲＮＴＩが使用されても良い。一実施形態では、ランダムアクセスＲＮＴＩ（標準的に、物理ランダムアクセスチャネル（Physical  Random  Access  Channel：ＰＲＡＣＨ）応答で使用される）は、ＰＤＣＣＨ又はＥＰＤＣＣＨをスクランブルするために使用されても良い。この場合、ＰＤＣＣＨ又はＥＰＤＣＣＨは、その後に共通探索空間で送信されて、（共通探索空間を探索しなければならない）ＵＥがＰＤＣＣＨ又はＥＰＤＣＣＨを見付けられるようにしても良い。これは、複数のＵＥが、トリガメッセージを受信するためにＰＤＣＣＨ又はＥＰＤＣＣＨをスクランブル解除できるようにもする。
【００２８】
ステップ３１０で、ｅＮＢは、トリガ信号の送信と参照信号の送信との間のタイミングを決定しても良い。このタイミングは、トリガ信号の送信と参照信号の送信との間のサブフレームの差を示しても良い。タイミングは、任意の値を取り得る。つまり、トリガ信号及び参照信号は、同じサブフレームで又は異なるサブフレームで送信されても良い。幾つかの実施形態では、トリガ信号は、参照信号より前に送信されても良い。他の実施形態では、トリガ信号は、参照信号と同じサブフレームで送信されても良い。参照信号が少なくとも１サブフレーム早くトリガ信号によりトリガされるようにすることは、ＵＥが未認可帯域のキャリアで参照信号を受信する準備を整えるのを助けることができる。例えば、ＰＤＣＣＨ復号化時間は、標準的に最大で約１ｍｓを要する。これは、ＵＥがＰＤＣＣＨでトリガ信号を受信し、該トリガ信号を復号化し、及び未認可帯域のキャリアの中の参照信号を受信する準備を整えることができるために、少なくとも１ｍｓのマージンが望ましいことを意味する。さらに、ＰＤＳＣＨの標準的な処理時間は３ｍｓである。ＭＡＣ−ＣＥ／ＲＲＣに基づくトリガが適用される場合、少なくとも３ｍｓのマージンが望ましい。したがって、ＰＤＳＣＨの中のデータを得るための処理時間、並びに標準的に１サブフレームを要するＰＵＣＣＨによる標準的な肯定応答の提供を可能にするために、ｅＮＢにとっては、トリガ信号と参照信号の送信の間に４サブフレームの遅延を設定することが望ましい場合がある。留意すべきことに、上述の時間は標準的であり、実施形態の範囲はこれに関して限定されない。
【００２９】
次に、ステップ３１２で、ｅＮＢは、単一の参照信号が送信されるべきか否かを決定しても良い。つまり、種々の実施形態で、ｅＮＢは、単一の参照信号が送信されるべきか否か、又は複数の参照信号が送信されるべきか否かを決定しても良い。実施形態に依存して、参照信号の各々は対応するトリガ信号を有しても良く、又は複数の参照信号は単一のトリガ信号に対応しても良い。
【００３０】
ｅＮＢが、単一の参照信号が送信されるべきであると決定した場合、ステップ３１４で、ｅＮＢは、トリガ信号を送信する。一実施形態では、ｅＮＢは、単一のトリガ信号が送信されるべきであると決定したときに、トリガ信号を送信しても良い。別の実施形態では、ｅＮＢは、少なくとも１サブフレームの間、トリガ信号の送信を遅延しても良い。トリガ信号と参照信号の送信の間のタイミング、及びトリガ信号が送信される周波数帯域は、ｅＮＢにより決定されるように、変化しても良い。一実施形態では、トリガ信号は、非周期的であり不定期であっても良い。
【００３１】
上述のように、トリガ信号の送信は、認可又は未認可帯域の中であっても良い。ステップ３１６で、ｅＮＢは、その後に、参照信号に加えて、データがＵＥへ送信されるべきか否かを決定しても良い。トリガ信号の数は、ｅＮＢによる決定に依存して変化しても良い。
【００３２】
ｅＮＢが、データは送信されないことを決定した場合、ステップ３１８で、参照信号は、未認可帯域のキャリアでＵＥへ送信されても良い。一実施形態では、参照信号は、トリガ信号と同じ帯域（例えば、未認可帯域）で送信されても良い。別の実施形態では、参照信号は、トリガ信号と別の帯域（例えば、認可帯域）で送信されても良い。一実施形態では、参照信号は、トリガ信号と同じサブフレームで送信されても良い。一実施形態では、参照信号は、トリガ信号の後のサブフレームで送信されても良い。
【００３３】
一実施形態では、ｅＮＢは、ＵＥ宛のデータを含むデータ信号がＵＥへ送信されることを決定しても良い。本実施形態では、ステップ３２０で、ｅＮＢは、データ信号が送信されるべきタイミングを決定しても良い。参照信号とデータ信号の送信の間のタイミングは、ｅＮＢによる決定に依存して変化しても良い。
【００３４】
ステップ３２２で、ｅＮＢは、別個のトリガ信号又はスケジューリング情報がＵＥへ送信されるべきか否かを決定しても良い。一実施形態では、別個のトリガ信号は、ＵＥに、データ送信を知らせるために使用されても良い。別の実施形態では、ＵＥに参照信号の送信を知らせ得る同じトリガ信号は、ＵＥにデータ送信も知らせても良い。
【００３５】
ｅＮＢが、別個のトリガ信号又はスケジューリング情報がＵＥへ送信されることを決定した場合、ステップ３２４で、ｅＮＢは、ＵＥにデータ送信を知らせるために、ＵＥへ別個のトリガ信号を送信する。トリガ信号の送信、別個のトリガ信号の送信、参照信号の送信、及びデータ信号の間の（及び参照信号とデータ信号との間の）タイミングは、ｅＮＢによる決定とは独立に変化しても良い。一実施形態では、トリガ信号は、同じサブフレームで送信されても良い。一実施形態では、トリガ信号は、異なるサブフレームで送信されても良い。トリガ信号が異なるサブフレームで送信される場合、一実施形態では、参照信号の送信を示すトリガ信号は、データ信号の送信を示すトリガ信号の前に送信されても良い。代替で、一実施形態では、データ信号の送信を示すトリガ信号は、参照信号の送信を示すトリガ信号の前に送信されても良い。一実施形態では、トリガ信号の一方又は両方は、非周期的であり不定期であっても良い。
【００３６】
別のトリガ信号がＵＥに送信されるか否かに拘わらず、ステップ３２６で、ｅＮＢは、ｅＮＢにより決定した時間に参照信号を送信しても良い。一実施形態では、参照信号の送信のタイミングは、トリガ信号の中で示されても良い。参照信号は、非周期的時間に送信されても良い。つまり、一実施形態では、参照信号は、認可帯域でｅＮＢからのスケジュールされた周期的参照信号送信とは異なる時間に送信されても良い。一実施形態では、参照信号は、認可帯域でｅＮＢからのスケジュールされた周期的参照信号送信と同じ時間に同じサブフレームで送信されても良い。参照信号は、セル固有参照信号（ＣＲＳ）、チャネル品質指示（ＣＱＩ）、チャネル状態情報参照信号（ＣＳＩ−ＲＳ）、及び発見参照信号（ＤＲＳ）のうちの少なくとも１つを有しても良い。一実施形態では、同じサブフレームの中でｅＮＢにより送信される場合でも、未認可帯域で送信される非周期的参照信号は、認可帯域で送信される参照信号と異なっても良い。
【００３７】
ステップ３２８で、ｅＮＢは、決定した時間にＵＥへデータ信号を送信しても良い。一実施形態では、データ信号は、参照信号と同じサブフレームで送信されても良い。一実施形態では、データ信号及び参照信号は、異なるサブフレームで送信されても良い。データ信号及び参照信号が異なるサブフレームで送信される場合、一実施形態では、データ信号は、参照信号の前に送信されても良い。代替で、一実施形態では、参照信号は、データ信号の前に送信されても良い。送信のタイミングは、トリガ信号の送信のタイミングと独立であっても良い。つまり、一実施形態では、参照信号の送信を示すトリガ信号は、データ信号の送信を示すトリガ信号の前に送信されるが、データ信号は、参照信号の前に送信されても良い。別の実施形態では、データ信号の送信を示すトリガ信号は、参照信号の送信を示すトリガ信号の前に送信されるが、参照信号は、データ信号の前に送信されても良い。一実施形態では、参照信号の送信を示すトリガ信号は、データ信号の送信を示すトリガ信号の前に送信され、参照信号は、データ信号の前に送信されても良い。一実施形態では、データ信号の送信を示すトリガ信号は、参照信号の送信を示すトリガ信号の前に送信され、データ信号は、参照信号の前に送信されても良い。したがって、トリガ信号が送信される順序は、参照信号及びデータ信号が送信される順序と異なっても良い。
【００３８】
図４Ａ及び４Ｂは、幾つかの実施形態に従うリソースブロックを示す。図示のように、一実施形態では、参照信号は、サブフレームの中の最初の２個のＯＦＤＭシンボルを占有しても良い。概して、リソースブロックの中の各々のサブ周波数の中の最初のＯＦＤＭシンボルは、受信信号の自動利得制御（automatic  gain  control：ＡＧＣ）のためにＵＥにより使用されても良い。一方で、２番目のＯＦＤＭシンボルは、データ復号化の前の時間／周波数同期を支援する。これは、ＵＥのＡＧＣの動作中にデータが失われないように、ＰＤＳＣＨの開始シンボルが定められることを可能にし得る。参照信号は、図４Ａに示すように、（１２個の利用可能なもののうち）１又は２個のキャリアサブ周波数のみにより、特定のサブフレームの特定のリソースブロックの中のＰＤＣＣＨの中で送信されても良く、或いは、図４Ｂに示すように、全てのサブ周波数により運ばれても良い。一実施形態では、２個のキャリアサブ周波数が参照信号を運ぶために使用される場合、キャリアサブ周波数は、キャリアサブ周波数の最大数により、例えば６番目及び１２番目のサブ周波数に分けられても良い。上述のように、データのトリガ及び参照信号のトリガは、互いに対して任意の時間に送信されても良い。例えば、図３は参照信号のためのトリガ信号が、データ送信のためのトリガ信号／スケジューリング情報の前に送信されることを示すが、他の実施形態では、データ信号は、ＵＥに対して、ｅＮＢにより送信される参照信号のためのトリガ信号の前にスケジューリングされても良く、１又は複数のサブフレームにより分けられても良い。さらに、参照信号及びデータ信号の送信は、任意の順序で生じても良い。したがって、参照信号及びデータ信号の送信の相対的タイミングは、参照信号及びデータのためのトリガ信号の送信の相対的タイミングと独立であっても良い。種々の実施形態では、参照信号及びデータ信号は、同じサブフレームで送信されても良く、又は異なるサブフレームで送信されても良い。
【００３９】
ステップ３１２で、ｅＮＢが、１より多くの参照信号がＵＥへ送信されることを決定した場合、ステップ３３０で、ｅＮＢは、複数のトリガ信号が参照信号に関連付けられるか否かを決定しても良い。したがって、一実施形態では、単一のトリガ信号が、ＵＥに複数の参照信号の送信を示すよう機能しても良い。別の実施形態では、各々の参照信号の送信は、異なるトリガ信号により示されても良い。一実施形態では、複数のトリガ信号が提供されても良く、それぞれが１又は複数の参照信号を示しても良い。
【００４０】
ｅＮＢが、１より多くの参照信号がＵＥへ送信されることを決定した場合、ステップ３３２で、ｅＮＢは、各々の参照信号のタイミングを選択しても良い。一実施形態では、参照信号は、同じ未認可帯域の中でＵＥへ送信されても良い。一実施形態では、参照信号のうちの１つは、未認可帯域でＵＥへ送信されても良く、一方で、参照信号のうちの別のものは、認可帯域でＵＥへ送信されても良い。一実施形態では、参照信号は、連続サブフレームで送信されても良い。一実施形態では、参照信号は、非連続サブフレームで送信されても良い。
【００４１】
ステップ３３４で、ｅＮＢは、トリガ信号及び参照信号を個々の決定したタイミングで送信する。一実施形態では、各々のトリガ信号は、異なる参照信号送信に対応しても良い。したがって、各々のトリガ信号は、関連する参照信号を有する。他の実施形態では、ｅＮＢは、ＵＥへ、２以上のトリガ信号の混合を送信しても良い。２以上のトリガ信号のうちの１つは、単一の参照信号の送信に対応し、１つのトリガ信号は複数の参照信号の送信に対応する。トリガ信号の送信と参照信号の送信の間のタイミングは、ｅＮＢにより決定されるように変化しても良い。一実施形態では、トリガ信号のうちの少なくとも１つは、参照信号のうちの少なくとも１つと同じサブフレームで送信されても良い。例えば、一実施形態では、少なくとも１つのトリガ信号及び対応する参照信号は、同じサブフレームで送信されても良い。一方で、少なくとも１つの他のトリガ信号及び対応する参照信号は、異なるサブフレームで送信されても良い。代替で、一実施形態では、トリガ信号及び参照信号は、重なり合わないサブフレームで送信される。
【００４２】
ステップ３３０で、ｅＮＢが、単一のトリガ信号が複数の参照信号に関連付けられることを決定した場合、ステップ３３６で、ｅＮＢは、複数の参照信号のうちの最初の参照信号の送信を示すために、単一の開始メッセージをＵＥへ送信しても良い。参照信号は、次に、連続サブフレームで、又は非連続サブフレームで、送信されても良い。例えば、参照信号は、周期的に（例えば、ｎ個のサブフレーム毎に）送信されても良い。別の実施形態では、参照信号のセットは、周期的に送信されても良い（例えば、ｎ個のサブフレーム毎に、ｘ個の連続サブフレームに渡りｘ個の参照信号）。一実施形態では、参照信号の数及びタイミングを示すトリガ信号と共に、開始メッセージは送信されない。
【００４３】
ステップ３３８で、ｅＮＢは、最後の参照信号が送信されたか否かを決定する。送信された参照信号の数は、各々の送信について予め決定され、又は参照信号の特定のセットについて設定され、トリガ信号により示されても良い。
【００４４】
ステップ３４０で、ｅＮＢは、最後の参照信号が送信されたことを示すために、ＵＥへ停止メッセージを送信する。一実施形態では、上述のように、参照信号の数及びタイミングを示すトリガ信号と共に、停止メッセージは送信されない。
【００４５】
さらに、ステップ３２２で、ｅＮＢは、データ信号の送信を示すために別個のトリガ信号が送信され得ることを決定しても良い。つまり、ステップ３１４で送信されるトリガ信号は、参照信号及びデータ信号の両方の送信を示すよう機能しても良い。上述のように、参照信号及びデータ信号の送信は、任意の順序で生じても良い。したがって、参照信号及びデータ信号の送信の相対的タイミングは、参照信号及びデータ信号のためのトリガ信号の送信の相対的タイミングと独立であっても良い。種々の実施形態では、参照信号及びデータは、同じサブフレームで送信されても良く、又は異なるサブフレームで送信されても良い。
【００４６】
ステップ３０４で、ｅＮＢが、トリガ信号は送信されないことを決定した場合、ステップ３４４で、データ信号は、代わりに未認可帯域にスケジューリングされても良い。一実施形態では、データ信号は、認可帯域にスケジューリングされた他の信号と非同期になるようスケジューリングされても良い。
【００４７】
ステップ３４８で、ｅＮＢは、複数のＵＥへのデータ信号がスケジューリングされるべきか否かを決定しても良い。ｅＮＢが、複数のＵＥへのデータ信号がスケジューリングされるべきでないことを決定した場合、ｅＮＢは、１つのＵＥのみへのデータ信号のみがスケジューリングされるべきであると決定しても良い。
【００４８】
ステップ３５６で、ｅＮＢは、未認可帯域で、ＵＥへデータ信号スケジュールを送信しても良い。本例では、ｅＮＢは、未認可帯域で別個に、ＵＥへデータ信号を送信しても良い。代替で、ｅＮＢは、別個のスケジュールを送信することなく、ＵＥへデータ信号を送信しても良い。
【００４９】
ステップ３４８で、ｅＮＢは、複数のＵＥへのデータ信号がスケジューリングされるべきであることを決定しても良い。しかしながら、ｅＮＢが未認可帯域で複数のＵＥへ送信する場合、特定の問題が生じ得る。未認可帯域での送信の日和見的特性、及び認可帯域での送信媒体の制御により、認可帯域の使用は、スケジューリング情報のような制御チャネル送信を送信し、一方で、データ送信は未認可帯域を介して提供されることが望ましい。これは、認可帯域が、複数の帯域のデータ送信のスケジューリングを巻き取る（wind  up）ことを意味する。認可帯域での増大する制御チャネルオーバヘッド、並びにＰＤＣＣＨブロック（つまり、ｕｅが制御情報について正しいキャリアを探索しない）の問題を低減するために、複数のＵＥ又は複数のリソースブロックのグループスケジューリングが、単一のＰＤＣＣＨ又はＥＰＤＣＣＨリソースを用いて実行されても良い。これを提供するために、ステップ３５０で、ｅＮＢは、新しいＲＴＮＩが使用されるべきか否かを決定する。
【００５０】
ｅＮＢが、新しいＲＮＴＩが使用されるべきであると決定した場合、ステップ３５２で、ｅＮＢは、所望のＵＥグループをアドレスするために、新しいグループＲＮＴＩ（Ｇ−ＲＮＴＩ）を定めても良い。一実施形態では、ｅＮＢは、次に、対象のＵＥグループをアドレスするために、Ｇ−ＲＮＴＩを用いてＤＣＩメッセージのＣＲＣをスクランブルする。ＣＲＣは、一実施形態では、データスクランブルのためにＧ−ＲＮＴＩにより構成される対応するＵＥにより使用されても良い。
【００５１】
ｅＮＢが、新しいＲＴＮＩが定められないことを決定した場合、ステップ３５４で、ｅＮＢは、ＤＣＩスケジューリング送信の一部としてビットフィールドを定めても良い。一実施形態では、このビットフィールドの中の各々のビットは、未認可キャリアの中のリソースブロック及び／又はＵＥを表しても良い。一実施形態では、１又は複数の追加ビットが、使用されるＤＣＩフォーマットに追加でき、又は１又は複数の既存のビットが既存のフィールドの中で置き換えられても良い。フォーマットに依存して、対応するリソースブロック又はＵＥがＤＣＩ情報を用いてスケジューリングされるか否かを示すために、０又は１が使用されても良い。
【００５２】
Ｇ−ＲＮＴＩが定められるか否かに拘わらず、ステップ３５６で、ｅＮＢは、未認可帯域で、ＵＥへデータ信号スケジュールを送信しても良い。ｅＮＢは、スケジュールを用いて、未認可帯域で、所望のＵＥへデータ信号を送信しても良い。一実施形態では、スケジュールは、データ信号が連続サブフレームで又は非連続サブフレームで送信されることを示しても良い。例えば、スケジュールは、データ信号が周期的に（例えば、ｎ個のサブフレーム毎に）送信されることを示しても良い。別の実施形態では、スケジュールは、データ信号のセットが周期的に送信される（例えば、ｎ個のサブフレーム毎に、ｘ個の連続サブフレームに渡りｘ個の参照信号）ことを示しても良い。
【００５３】
１つの実施形態は特定の例示的な実施形態を参照して記載されたが、本開示の広範な精神及び範囲から逸脱することなく、種々の変更及び変化がこれらの実施形態に対して行われても良いことが明らかである。したがって、本願明細書と添付図面は限定的ではなく例示的であると解釈すべきである。本願明細書の一部を形成する添付の図面は、例として、限定ではなく、主題が実施され得る特定の実施形態を示す。図示の実施形態は、当業者が本願明細書に開示した技術を実施できるよう十分且つ詳細に示される。他の実施形態が利用され引き出され得る。したがって、構造的及び論理的置換及び変更が、本開示の範囲から逸脱することなく行われ得る。したがって、この詳細な説明は限定的意味と考えられるのではなく、種々の実施形態の範囲は、添付の請求の範囲、並びに権利化された請求項の等価物の全範囲によってのみ定められる。
【００５４】
本発明の主題のこのような実施形態は、本願明細書において、便宜上、個々に及び／又は集合的に、単に用語「発明」により参照されることがあり、実際に１より多くが開示されている場合、本願の範囲を任意の単一の発明又は発明の概念に自発的に限定するものではない。したがって、本願明細書において特定の実施形態が示され説明されたが、同一の目的を達成するために計算された任意の構成が示された特定の実施形態と置き換えられても良いことが理解されるべきである。本開示は、種々の実施形態の任意の及び全ての適応又は変形をカバーすることを意図する。上述の実施形態の組合せ、及び本願明細書に特に記載されない他の実施形態は、上述の記載を読むことにより当業者に明らかになる。
【００５５】
本文書において、用語「１つの（「a」又は「an」）」は、特許文書で慣例であるように、「少なくとも１つ」又は「１又は複数」の任意の他の例若しくは使用例とは独立に、１つ又は１より多くを含むために使用される。本文書では、用語「又は（or）」は、非排他的な「又は」を表すために使用される。したがって、「Ａ又はＢ」は、特に断りのない限り、「ＡであるがＢではない」、「ＢであるがＡではない」、及び「Ａ及びＢ」を含む。本文書では、用語「含む（including）」及び「（in  which）」は、「comprising」及び「wherein」の英語の明白な等化語として用いられる。また、以下の請求の範囲では、用語「含む、有する（including、comprising）」は、制約ではない。つまり、その後に列挙される要素を含むシステム、ＵＥ、物品、組成、製剤、又は処理は、依然としてその請求項の範囲に含まれると考えられる。さらに、以下の請求の範囲では、用語「第１の」、「第２の」、「第３の」等は、単にラベルとして用いられ、それらの目的語に数値的要件を課すことを意図しない。
【００５６】
読者が技術的開示の特性及び主旨を解明できるように、要約を要求する３７Ｃ．Ｆ．Ｒ  Section１．７２（ｂ）に従い、本開示の要約が提供される。要旨は請求項の範囲又は意味を解釈又は限定するために用いられるべきでないことが理解される。また、上述の詳細な説明では、本開示の合理化のために、種々の特徴が単一の実施形態に一緒にグループ化されることが分かる。この開示の方法は、請求される実施形態が各請求項に明示的に記載されたよりも多くの特徴を必要とするという意図を反映していると解釈するべきではない。むしろ、添付の請求項が反映しているように、本発明の主題は、単一の開示された実施形態の全ての特徴よりも少ない。したがって、ここで、添付の請求項は、各請求項が別個の実施形態として存在するとして、詳細な説明に組み込まれる。
【図１】
2017520980.tif 000003
【図２】
2017520980.tif 000004
【図３】
2017520980.tif 000005
【図４Ａ】
2017520980.tif 000006
【図４Ｂ】
2017520980.tif 000007
【国際調査報告】
2017520980.tif 000008
2017520980.tif 000009